(57)【要約】【課題】ヘッドセットを装備しない音声電子機器に対してヘッドセットを提供し、ユーザの移動範囲が制限されない音声電子機器とヘッドセットとの接続を提供する。【解決手段】通信構成要素（９５０）と切替回路（９４０）とヘッドセットリンク（９７０）とを有するモジュラーユニット（９３０）は、ホスト電子装置（９１０）に接続するように適合させられる。ヘッドセットリンクは、ヘッドセット（９８０）のモジュールリンク（９９０）との間で通信を行う。ヘッドセットは、モジュールリンクに電気的に接続したイヤホン又はスピーカ（９８２），マイクロホン（９８４）及び制御パネル（９８６）を有し、モジュールリンクを通じてヘッドセットリンクとの間での通信を行う。モジュラユニットの切替回路（９４０）は、ヘッドセットリンクを通信構成要素に電気的に接続するか又はホスト電子装置の電子音声構成要素（９２０）に電気的に接続するかを制御する。【選択図】図２１
2006141059.tif 000002
【特許請求の範囲】
【請求項１】
ホスト電子システムと、
該ホスト電子システムに電気的に接続されるモジュラーユニットと、
ヘッドセットと、
前記モジュラーユニットと前記ヘッドセットとの間で通信を行う手段とを備えるシステム。
【請求項２】
前記通信する手段は、第１の小範囲用無線送受信機と、該第１の小範囲用無線送受信機との間で通信を行う第２の小範囲用無線送受信機とを備え、前記第１の小範囲用無線送受信機が前記モジュラーユニットに配置されると共に、前記第２の小範囲用無線送受信機が前記ヘッドセットに配置される請求項１記載のシステム。
【請求項３】
前記通信を行う手段は、第１の赤外線送受信機と、該第１の赤外線送受信機と通信を行う第２の赤外線送受信機とを備え、前記第１の赤外線送受信機が前記モジュラーユニットに配置されると共に、前記第２の赤外線送受信機が前記ヘッドセットに配置される請求項１記載のシステム。
【請求項４】
前記モジュラーユニットがＰＣＭＣＩＡ規格のものである請求項１記載のシステム。
【請求項５】
電話ネットワークに接続されるホスト電子システムと、
該電話ネットワークと通信接続を確立する通信構成要素と、
前記ホスト電子システムに電気的に接続されると共に前記通信接続に電気的に接続されるモジュラーユニットと、
ヘッドセットと、
前記モジュラーユニットの前記通信構成要素と前記ヘッドセットとの間で通信を行う手段とを備えるシステム。
【請求項６】
前記ホスト電子システムが、ローカルエリアネットワークを通じて前記電話ネットワークに接続される請求項５記載のシステム。
【請求項７】
前記通信を行う手段が、第１の小範囲用無線送受信機と、該第１の小範囲用無線送受信機と通信を行う第２の小範囲用無線送受信機とを備え、前記第１の小範囲用無線送受信機が前記モジュラーユニットに配置されると共に、前記第２の小範囲用無線送受信機が前記ヘッドセットに配置される請求項５記載のシステム。
【請求項８】
前記通信を行う手段は、第１の赤外線送受信機と、該第１の赤外線送受信機と通信を行う第２の赤外線送受信機とを備え、前記第１の赤外線送受信機が前記モジュラーユニットに配置されると共に、前記第２の赤外線送受信機が、前記ヘッドセットに配置される請求項５記載のシステム。
【請求項９】
前記モジュラーユニットがＰＣＭＣＩＡ規格のものである請求項５記載のシステム。
【請求項１０】
前記ホスト電子システムが電子音声構成要素を有し、前記モジュラーユニットが、前記モジュールの前記通信構成要素と前記ホスト電子システムの電子音声構成要素との間で通信を行う手段の電気接続を切り替えるスイッチを有する請求項５記載のシステム。
【請求項１１】
前記スイッチが、前記モジュラーユニットの通信構成要素に対して受信される呼出の検出に応答して、前記ホスト電子システムの前記電子音声構成要素からの音声信号を徐々に低下させると共に、受信される呼出が利用できることを示す信号を伝送する手段を備える請求項１０記載のシステム。
【請求項１２】
前記ホスト電子システムが、ローカルエリアネットワークを通じて前記電話ネットワークに接続される請求項１０記載のシステム。
【請求項１３】
前記通信を行う手段が、第１の小範囲用無線送受信機と、該第１の小範囲用無線送受信機と通信を行う第２の小範囲用無線送受信機とを備え、前記第１の小範囲用無線送受信機が前記モジュラーユニットに配置されると共に、前記第２の小範囲用無線送受信機が、前記ヘッドセットに配置される請求項１０記載のシステム。
【請求項１４】
前記通信を行う手段が、第１の赤外線送受信機と、該第１の赤外線送受信機と通信を行う第２の赤外線送受信機とを備え、前記第１の赤外線送受信機が前記モジュラーユニットに配置されると共に、前記第２の赤外線送受信機が、前記ヘッドセットに配置される請求項１０記載のシステム。
【請求項１５】
前記モジュラーユニットがＰＣＭＣＩＡ規格のものである請求項１０記載のシステム。
【請求項１６】
ホスト電子システムを備え、
該ホスト電子システムは、
モジュールコネクタを有するモジュールポートと、
前記モジュールコネクタに電気的に接続された電子音声構成要素とを有し、
モジュラーユニットを更に備え、
該モジュラーユニットは、
第１の端部を有するハウジングと、
前記ホスト電子システムのモジュールコネクタに連結するために前記ハウジングの前記第１の端部に配置されたシステムコネクタと、
少なくとも一つの予め選択された通信規格に応じて複数の規格化された無線ネットワーク中の一つと入力信号及び出力信号の通信を行う通信送受信機と、
該通信送受信機に電気的に接続された第１の入力部と、前記モジュールコネクタ及びシステムコネクタを通じて前記ホスト電子システムの前記電子音声構成要素に電気的に接続された第２の入力部と、出力部とを有し、該出力部が選択的に前記第１の入力部又は第２の出力部に接続可能である、スイッチとを有し、
ヘッドセットを更に備え、
該ヘッドセットは、
スピーカと、
マイクロホンとを有し、
前記モジュラーユニットの前記スイッチの出力と前記ヘッドセットの前記スピーカ及び前記マイクロホンとの間で通信を行う手段を更に備えるシステム。
【請求項１７】
前記モジュールポート及び前記モジュラーユニットがＰＣＭＣＩＡ規格のものである請求項１６記載のシステム。
【請求項１８】
前記ヘッドセットが、前記通信を行う手段を通じて前記モジュラーユニットの前記通信送受信機に制御信号を供給するキーパッドを更に備える請求項１６記載のシステム。
【請求項１９】
前記通信を行う手段が、前記モジュラーユニットと前記ヘッドセットとの間を延在するケーブルを備える請求項１６記載のシステム。
【請求項２０】
前記通信を行う手段が、前記モジュラーユニットの第１の赤外線送受信機と、前記ヘッドセットの第２の赤外線送受信機とを有し、前記第１の赤外線送受信機が前記第２の赤外線送受信機との間での通信を行う請求項１６記載のシステム。
【請求項２１】
前記通信を行う手段が、前記モジュラーユニットの第１の小範囲用無線送受信機と、前記ヘッドセットの第２の小範囲用無線送受信機とを有し、前記第１の小範囲用無線送受信機が前記第２の小範囲用無線送受信機との間での通信を行う請求項１６記載のシステム。
【請求項２２】
前記ホスト電子システムがバッテリ電源を有し、前記モジュラーユニットの前記通信送受信機が、前記モジュラーユニットの前記システムコネクタ及び前記ホスト電子システムの前記モジュールコネクタを通じて前記バッテリ電源からの電力を受け取る請求項１６記載のシステム。
【請求項２３】
前記モジュールポート及び前記モジュラーユニットが、前記バッテリ電源から前記通信送受信機に電力を送る電力コンタクトを有する変更ＰＣＭＣＩＡ規格のものである請求項２２記載のシステム。
【請求項２４】
前記モジュラーユニットの前記ハウジング上に配置された電力コネクタを通じて前記モジュラーユニットの前記通信送受信機に電力を供給する外部電源を更に有する請求項１６記載のシステム。
【請求項２５】
前記ホスト電子システムが、該ホスト電子システムの前記モジュールコネクタ及び前記モジューラユニットの前記システムコネクタを通じて前記通信送受信機に接続されたアンテナを有し、前記通信送受信機が前記アンテナを通じて規格化されたネットワークとの間での通信を行う請求項１６記載のシステム。
【請求項２６】
前記モジュールポート及び前記モジュラーユニットが、前記アンテナを前記通信送受信機に結合するための少なくとも一つのコンタクトを有する変更ＰＣＭＣＩＡ規格のものである請求項２５記載のシステム。
【請求項２７】
前記モジュラーユニットの前記ハウジングに配置されたアンテナコネクタを通じて前記モジュラーユニットの前記通信送受信機に結合するためのアンテナを更に有する請求項１６記載のシステム。
【請求項２８】
前記スイッチが、前記通信送受信機に対して受信される呼出の検出に応答して、前記電子音声構成要素から前記スピーカへの音声信号を徐々に低下すると共に、受信される呼出を利用できることを示す信号を伝送する手段を更に備える請求項１６記載のシステム。
【請求項２９】
前記ホスト電子システムが、前記電子音声構成要素の機能的な情報を表示するディスプレイを備え、前記モジュラーユニットの前記通信送受信機が前記モジュラーユニットの前記システムコネクタ及び前記ホスト電子システムの前記モジュールコネクタを通じてデータ信号を前記ディスプレイに供給し、前記ディスプレイが、前記通信送受信機の前記機能的な情報を表示する請求項１６記載のシステム。
【請求項３０】
前記ホスト電子ユニットが、前記音声構成要素に制御信号を供給するためのキーパッドを有し、前記キーパッドが、前記ホスト電子システムの前記モジュールコネクタ及び前記モジュラーユニットの前記システムコネクタを通じて前記モジュラーユニットの前記通信送受信機に制御信号を供給する請求項１６記載のシステム。
【発明の詳細な説明】
【技術分野】
【０００１】
（関連出願に対する相互の参照）
この出願は、１９９４年１２月１２日に共同発明者のＰｅｒ  Ｓｔｅｉｎによって出願された表題“ＭＯＤＵＬＡＲ  ＲＡＤＩＯ  ＣＯＭＭＵＮＩＣＡＴＩＯＮＳ  ＳＹＳＴＥＭ”の出願継続中の米国特許出願番号０８／３５３，９６６における一部継続出願である。この一部継続出願は、１９９３年３月４日に共同発明者のＰｅｒ  Ｓｔｅｉｎによって出願された表題“ＭＯＤＵＬＡＲ  ＲＡＤＩＯ  ＣＯＭＭＵＮＩＣＡＴＩＯＮＳ  ＳＹＳＴＥＭ”（現在は放棄された）の米国特許出願番号０８／０２６，４７８に対する継続出願である。これら出願を、ここで参照して完全に併合する。また、この出願は表題“ＥＬＥＣＴＲＯＮＩＣ  ＭＥＴＥＲＩＮＧ  ＥＱＵＩＰＭＥＮＴ  ＳＹＳＴＥＭ”の出願継続中の米国特許出願番号０８／４６９，６５５（代理人  Ｄｏｃｋｅｔ  Ｎｏ．２７９４６．０００８４）、また、表題“ＥＬＥＣＴＲＯＮＩＣ  ＥＱＵＩＰＭＥＮＴ  ＡＵＤＩＯ  ＳＹＳＴＥＭ”の出願継続中の米国特許出願番号０８／４７１，６０６（２７９４６．０００８５）、及び、表題“ＥＬＥＣＴＲＯＮＩＣ  ＥＱＵＩＰＭＥＮＴ  ＤＡＴＡ  ＳＹＳＴＥＭ”の出願継続中の米国特許出願番号０８／４６７，５６３（代理人  Ｄｏｃｋｅｔ  Ｎｏ．２７９４６．０００８６）における一部継続出願である。これらの全ての出願は１９９５年６月６日に共同発明者Ｐｅｒ  Ｓｔｅｉｎによって出願されている。また、全ての一部継続出願は、１９９４年１２月１２日に共同発明者のＰｅｒ  Ｓｔｅｉｎによって出願された表題“ＭＯＤＵＬＡＲ  ＲＡＤＩＯ  ＣＯＭＭＵＮＩＣＡＴＩＯＮＳ  ＳＹＳＴＥＭ”の出願継続中の米国特許出願番号０８／３５３，９６６の一部継続出願である。この一部継続出願は、１９９３年３月４日に共同発明者のＰｅｒ  Ｓｔｅｉｎによって出願された表題“ＭＯＤＵＬＡＲ  ＲＡＤＩＯ  ＣＯＭＭＵＮＩＣＡＴＩＯＮＳ  ＳＹＳＴＥＭ”の（現在は放棄された）米国特許出願番号０８／０２６，４７８の継続出願である。これらの出願を、ここで参照して完全に併合する。
【０００２】
（発明の分野）
本発明は、電子機器に関し、特に、電子機器とヘッドセットとの間の回線接続（リンク）を確立するために用いるモジュラーユニットに関するものである。
【背景技術】
【０００３】
（関連技術の記載）
エレクトロニクス，データ処理及び電気通信の分野は、近年著しい技術的な進展がみられる。パーソナルステレオカセット，ディスクプレーヤ及び自動車ＡＭ／ＦＭラジオは、関連する市販の電子ハードウェアと共に、より小型化され、かつ、より効率が向上している。メモリチップの著しい発展及び小型化技術によって、各種の電子システムがより小さいスペースにパッケージ化されている。業務用の電子機器及びパーソナルコンピュータについても同様である。
【０００４】
パーソナルコンピュータは、一般市販の電子機器のように、世界中の相違する多数の製造者によって供給されている。全産業は、パーソナルコンピュータにおける多様な仕様を増大させるためのメモリカードを供給するごとに、次第に発展した。近年、パーソナルコンピュータ用の回路カードに使用するための相互接続フォーマットを規格化する傾向にある。特に、ＰＣ及びメモリカード国際協会（ＰＳＭＣＩＡ）は、コンピュータと他のタイプの電子製品との間で集積回路及びメモリカードの互換性を高めるために成立された。このために、ＰＣＭＣＩＡは、カードが機器の相違する部分で使用できるように所定の物理及び電気規格を広めた。これら規格によって構成されたデータ格納、すなわち、メモリ及び周辺を拡張するためのＩ／Ｏ、カードタイプは、規格に基づいて構成された任意の受信装置で使用できる必要がある。このような規格は、ここで参照して併合するＰＣＭＣＩＡ  ＰＣカード規格を含む種々の文書によって説明がなされている。この規格は、ＰＣで使用されるＩ／Ｏタイプの回路での６８ピンに対する交換を説明している。
【０００５】
無線通信も、近年、急速に発展している。種々の通信規格は、基地局と移動ユニットとの間の無線回線接続による音声通信用及びデータ通信用の特定周波数，データ伝送速度及びデータフォーマット等を規定するために世界中に広まっている。例えば、移動データ通信用の特定パケット交換システムによって、携帯コンピュータは、地上データ通信ネットワークへの直接アップリンクによって、そのデータアクセスが可能になっている。同様に、通常のアナログバージョン及びデジタルバージョンの音声信号に対するセルラー無線システムでは、携帯コンピュータからのデータを受信し、このデータを通常の電話ネットワークを通じて離れた場所に配置されたデータ端末へ送信することが出来る。これに加えて、近年（狭いエリア及び広いエリア）ページング，ＤＥＣＴ（デジタル欧州コードレス通信），Ｍｏｂｉｔｅｘ，ＣＤＰＤ（セルラーデジタルパケットデータ），ＰＣＳ（パーソナル通信システム）等のような他のシステムが使用されつつある。これらの無線通信フォーマット及び規格の両方は、一般的に、無線ネットワークへのデータに対するゲートウェイを提供する個別のソフトウェア及び個別の送信／受信フォーマットが要求される。これによって、地理上の異なる区域及び相違するネットワークの一部で動作する無線基地局との通信が可能になる。しかしながら、モジュラー形式での無線受信機及び／又はモデムのパッケージ化が所望される。この結果、携帯電話機又は携帯パーソナルコンピュータのような通信端末は特に、モジュラーユニットを通信に好ましい通信ネットワークに対して特に構成されたものに単純に置換することによって、相違するシステムを備えた通信に適合できるようになる。しかしながら、このような無線受信機のパッケージの利点は、他の市販及び業務用の電子機器がかかるパッケージとともに用いられるときに携帯電話機及び携帯コンピュータに制限されないことである。
【発明の開示】
【発明が解決しようとする課題】
【０００６】
ときによっては、カードを搭載したＰＣにおける通信インタフェース機器が使用される。特に、モデムは、Ｉ／Ｏカードに頻繁に搭載されると共に、ＰＣ内の受信コンセントに装備される。この場合、モデムによって、標準的な通信ネットワーク回線のインタフェース及びこれら回線に対するデータの送信／受信が可能になる。これは極めて有用なツールであり、ＰＣに対する最大の有用性が得られる。この技術的な統合は、ＰＣの通信範囲に対して、ラジオ又はテーププレーヤのような業務用及び市販の電子機器ではまだ行われていない。したがって、種々の無線規格による種々のネットワークと通信を行うテーププレーヤ及びステレオのような通常の市販及び業務用の音声電子機器に対して容易に交換可能な標準的なＰＣＭＣＩＡカードなどのモジュラーユニットを搭載した無線送受信機を提供することが好適である。
【０００７】
多数の通常の市販及び業務用の音声電子機器は、イヤホンを備えたヘッドセットを有しておらず、すなわち、ケーブルによって接続されたヘッドセットを用いている。ケーブルによって音声電子機器に接続されたヘッドセットは、ユーザの動作を制限する。したがって、ヘッドセットを装備しない音声電子機器に対してヘッドセットを提供し、及び、ケーブルによってユーザの移動範囲が制限されない音声電子機器とヘッドセットとの接続を提供する。
【課題を解決するための手段】
【０００８】
（発明の要約）
一態様において、本発明は、ホスト電子システムと、このホスト電子システムに電気的に接続されたモジュラーユニットと、ヘッドセットと、モジュラーユニットとヘッドセットとの間で通信を行う手段とを有する。他の例において、モジュラーユニットとヘッドセットとの間での通信手段は、モジュラーユニットに配置された第１の小範囲用無線送受信機と、ヘッドセットに配置されると共に第１の小範囲用無線送受信機と通信を行う第２の小範囲用無線送受信機とを有する。更に他の例において、モジュラーユニットに配置された第１の赤外線送受信機と、ヘッドセットに配置されると共に第１の赤外線送受信機との間で通信を行う第２の赤外線送受信機とを有する。更に他の例において、モジュラーユニットをＰＣＭＣＩＡ規格のものとする。
【０００９】
他の態様において、本発明は、電話ネットワークに接続されたホスト電子システムと、ホスト電子システムに電気的に接続された、電話ネットワークとの通信回線接続を確立するための通信構成要素を有するモジュラーユニットと、ヘッドセットと、モジュラーユニットの通信構成要素とヘッドセットとの間で通信を行う手段とを有する。他の例において、ホスト電子システムは、ローカルエリアネットワークを通じて前記電話ネットワークに接続される。更に他の例において、ホスト電子システムは電子音声構成要素を有し、モジュラーユニットは、モジュラーユニットの通信構成要素との電気的接続とホスト電子システムの電子音声構成要素との電気的接続との間で通信する手段を電気的に切り替えるスイッチを有する。更に他の例において、スイッチは、モジュラーユニットの通信構成要素に対して入力される呼出検出に応答して、ホスト電子システムの電子音声構成要素からの音声信号を徐々に低下させると共に、入力される呼出の利用を示す信号を伝送する手段を備える。
【００１０】
他の態様において、本発明はホスト電子システムを備え、このホスト電子システムは、モジュラーコネクタを有するモジュラーポートと、モジュラーコネクタに電気的に接続された電子音声構成要素とを有し、更に、モジュラーユニットを備え、このモジュラーユニットは、第１の端部を有するハウジングと、ホスト電子システムのモジュラーコネクタに連結するためにハウジングの第１の端部に配置されたシステムコネクタと、少なくとも一つの予め選択した通信規格に対応して複数の規格化された無線ネットワーク中の一つと入力信号及び出力信号を送受信する通信送受信機と、通信送受信機に電気的に接続された第１の入力部と、モジュラーコネクタ及びシステムコネクタを通じてホスト電子システムの電子音声構成要素に電気的に接続された第２の入力部と、出力部とを有し、この出力部が選択的に第１の入力部又は第２の出力部を接続可能にし、ヘッドセットを更に備え、このヘッドセットは、スピーカとマイクロホンとを有し、更に、モジュラーユニットのスイッチの出力とヘッドセットのスピーカ及びマイクロホンとの間で通信を行う手段を備える。他の例において、モジュラーポートとモジュラーユニットとをＰＣＭＣＩＡ規格のものとする。更に他の例において、ヘッドセットは、更に、通信する手段を通じてモジュラーユニットの通信送受信機に制御信号を送出するキーパッドを有する。更に他の例では、通信を行う手段が、モジュラーユニットとヘッドセットとの間に延在するケーブルを有する。更に他の例において、通信を行う手段は、モジュラーユニットの第１の赤外線送受信機と、ヘッドセットにおける第２の赤外線送受信機とを有し、第１の赤外線送受信機は第２の赤外線送受信機との通信を行う。更に他の例において、通信を行う手段は、モジュラーユニットの第１の小範囲用無線送受信機とヘッドセットの第２の小範囲用無線送受信機とを有し、第１の小範囲用無線送受信機は第２の小範囲用無線送受信機との間で通信を行う。更に他の例において、ホスト電子システムはバッテリ電源を有し、モジュラーユニットの通信送受信機は、ホスト電子システムのモジュラーコネクタ及びモジュラーユニットのシステムコネクタを通じてバッテリ電源からの電力供給が行われる。更に他の例において、モジュラーポートのモジュールコネクタ及びモジュラーユニットのシステムコネクタが、バッテリ電源から通信用送受信機に電力を送るパワーコンタクトを含む変更ＰＣＭＣＩＡ規格のものとする。更に他の例において、モジュラーユニットのハウジングに設けられた電力コネクタを通じてモジュラーユニットの通信送受信機に電力を供給する外部電源を有する。更に他の例において、ホスト電子システムは、ホスト電子システムのモジュラーコネクタ及びモジューラユニットのシステムコネクタを通じてモジュールの通信送受信機に接続されたアンテナを有し、通信送受信機はアンテナを通じて規格化されたネットワークとの間の通信を行う。更に他の例において、モジュラーポートのモジュラーコネクタ及びモジュラーユニットのシステムコネクタは、通信送受信機にアンテナを接続する少なくとも一つのコンタクトを備えた変更ＰＣＭＣＩＡ規格のものとする。更に他の例において、システムは、モジュラーユニットのハウジングに配置されたアンテナコネクタを通じてモジュラーユニットの通信送受信機に結合されるアンテナを有する。更に他の例において、スイッチは、通信送受信機に対して入力される呼出の検出に対応して、電子音声構成要素からスピーカへの音声信号を徐々に低下させると共に入力される呼出を利用できることを示す信号を伝送する手段を備えている。更に他の例において、ホスト電子システムは、ホスト電子システムの機能的な情報を表示するディスプレイを備え、モジュラーユニットの通信送受信機は、モジュラーユニットのシステムコネクタ及びホスト電子システムのモジュラーコネクタを通じてデータ信号をディスプレイに供給する。ディスプレイは、通信送受信機の機能的な情報を表示する。更に他の例において、ホスト電子システムは、ホスト電子システムに制御信号を供給するためのキーパッドを有し、前記キーパッドは、ホスト電子システムのモジュラーコネクタ及びモジュラーユニットのシステムコネクタを通じてモジュラーユニットの通信送受信機に制御信号を供給する。
本発明の他の目的及びその利点をより完全に理解するために、添付図面を参照して本発明を以下詳細に説明する。
【実施例】
【００１１】
（実施の形態の詳細な説明）
ここで参照する図１は、本発明の原理によって構成したモジュラーユニット３１の上面図を示している。モジュラーユニット３１は、コネクタ３３での規格ＰＣＭＣＩＡカード相互接続フォーマットに適合するように構成される。モジュラーユニット３１は、以降で説明するように、通信機能を有すると共にヘッドセットとの間で通信を行うように設計される。モジュラーユニット３１は外側部材３２を有し、この外側部材３２は、一般に平坦であり、第１の端部３３ａに（図２で最も明瞭に示す）多ピンコネクタ３３を配置している。この多ピンコネクタ３３は、電子機器のアイテム内に配置された整合コネクタと連接する複数のコンタクトを有する。モジュラーユニット３１の他方の端部３４ａは凹部領域３４を有し、この場合、図９，１１，１２に図示した外部コネクタと同様な外部コネクタを搭載することが出来る。
【００１２】
更に図１を参照すると、モジュラーユニット３１は、カード２９に装備した通信回路３５及びヘッドセットリンク回路３９を有する。点線によって通信回路３５及びヘッドセットリンク回路３９をカード２９の規定位置と共にモジュラーユニット３１中に示す。ヘッドセットリンク回路３９は、小範囲用無線送信機／受信機や赤外線送信機／受信機等とすることが出来る。モジュラーユニット３１のウィンドウ４０を通じて、無線又は赤外線信号をモジュラーユニット３１内のヘッドセットリンク回路３９によって送信し及び受信することが出来る。電力，制御及び通信インタフェースは、多ピンコネクタ３３の選択コンタクトを通じてカード２９と接続される。
【００１３】
ここで参照する図２は、図１のモジュラーユニット３１の正面図を示し、多ピンコネクタ３３を最も明瞭に示す。多ピンコネクタ３３は、現行の規格ＰＣＭＣＩＡカード相互接続フォーマットに適合するように構成される。コネクタ３３は、コンタクト４１ａ，４１ｂが一対の配列となっている。多ピンコネクタ３３のコンタクト４１ａ，４１ｂは、図１のカード２９内の回路に接続される。当業者は、本発明が図１４に図示したような電源ピンやアンテナコネクタ等を収容するために変形コネクタをもつ実施形態を含むことを容易に理解できるであろう。
【００１４】
ここで参照する図３は、図１からのモジュラーユニット３１の後方からの背面図を示している。モジュラー３１の端部３４ａを凹部３４で形成し、この場合、ウィンドウ４０により、（図１に図示した）ヘッドセットリンク回路３９は回線接続信号を送信し及び受信することが出来る。他のコネクタは、アンテナ又は電源のようなアイテム用の他の外部接続部に（図１に図示した）カード２９を結合するために用いる端部３４ａの凹部３４に装着することが出来る。
【００１５】
ここで参照する図４は、モジュール３１の側面の断面図を示している。この図で最も明瞭に示すように、モジュール３１のカード２９は、種々のプリント回路カードトレースが形成されるプリント回路基板６１を有し、種々の構成要素、例えば、ＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔ）を実装し、これによって通信回路３５及びヘッドセットリンク回路３５を備えることが出来る。プリント回路基板６１上の回路は、コネクタ３３のターミナル４１ａ〜４１ｂに選択的に接続されて、モジュラーユニット３１内の回路内又は回路外との信号の入出力を行う。上側部材６２は、プリント回路基板６１にマウントされた構成要素の上部をカバーし、それに対して、下側部材６３は、プリント回路基板６１の下側表面をカバーすると共に、下側部材６２に整合してモジュラーユニット３１の密閉された外側部材３２を形成する。この特定の図において、凹部３４のウィンドウ４０はこのウィンドウ４０の直後のヘッドセットリンク回路３９の送信機／受信機４１と共に示され、その結果、送信機／受信機４１はウィンドウ４０を通じて信号を送信し及び受信することが出来る。
【００１６】
ここで参照する図５は、コンピュータ２００へのモジュラーユニット３１の取り付け状態を示し、このコンピュータ２００は、装着スロット２０１を含むように設計変更されている。装着スロット２０１は、特に、モジュール３１の受取及び接続に適合されている。装着スロット２０１は、側壁２０２及び前方開口２０３によって構成される。整合コネクタ２０４は、コネクタ３３に整合して接続するための端部２０５に沿って配置される。
【００１７】
再び図５を参照する。コンピュータ２００は、ローカルエリアネットワーク（ＬＡＮ）上などで、直接接続によって通信ラインに接続される。このコンピュータは、コンピュータ２００の整合コネクタ２０４を通じてモジュラーユニット３１の（図１に図示した）通信構成要素３５に通信ラインを接続すると共に、モジュラーユニット３１のモジュラーコネクタ３３に接続している。電源，キーボード，ディスプレイ等のようなコンピュータ２００の他の構成要素も、整合コネクタ２０４及びモジュラーコネクタ３３を通じてモジュラーユニット３１に接続されることが出来る。
【００１８】
更に図５を参照すると、ヘッドセット３４５は、イヤホン３４６，３４７と、イヤホン３４７から延在するマイクロホン３４８とを有する。イヤホン３４６，３４７及びマイクロホン３４８は、ヘッドセット３４５の送信機／受信機３４３を通じてモジュール３１内のヘッドセットリンク回路３９に接続される。一実施の形態において、ヘッドセット３４５は、送信機／受信機３４３に接続された（図示しない）キーパッド又は制御パネルも有する。モジュール３１の（図１に図示した）ヘッドセットリンク回路３９は、ウィンドウ４０を通じてリンク信号３４１を送信し及び受信して、ヘッドセット３４５の受信機／送信機３４３との間での通信を行う。ヘッドセット３４５のイヤホン３４６，３４７やマイクロホン３４８及び（図示しない）キーパッドは、ヘッドセット３４５の送信機／受信機３４３を通じて、及び、モジュール３１のヘッドセットリンク回路３９を通じて、モジュール３１の通信構成要素３５との通信を行う。
【００１９】
ここで参照する図６には、図５に図示した本発明の実施の形態のブロック図が示されている。ここでは図５に図示したホスト電子システムをコンピュータ２００として説明するが、本発明はコンピュータに限定されないことを理解すべきである。当業者は、本発明の原理を多数のタイプの電子システムに適用できることを容易に理解できるものである。ホスト電子システム５１０は、ローカルエリアネットワーク（ＬＡＮ）上などで直接接続することによって通信システム５２０に接続される。モジュラーユニット５３０は、ホスト電子装置５１０に接続される。モジュラーユニット５３０は、ホスト電子装置５１０を通じて通信システム５２０と通信する通信機能構成要素５４０を備えている。モジュラーユニット５３０のヘッドセットリンク５５０は、通信機能構成要素５４０との間の通信を行う。
【００２０】
再び図６を参照する。ヘッドセット５６０は、モジュラーユニット５３０のヘッドセットリンク５５０との通信を行うためのモジュールリンク５７０を有する。ヘッドセット５６０は、イヤホン又はスピーカ５８２，マイクロホン５８４及びキーパッド又はコントロール５８２を備え、これら全てをヘッドセット５６０のモジュールリンク５７０に接続している。スピーカ５８２，マイクロホン５８４及びキーパッド５８６は、ヘッドセット５６０のモジュールリンク５７０を通じてモジュラーユニット５３０内、及び、モジュラーユニット５３０のヘッドセットリンク５５０を通じて、通信構成要素５４０との間での通信を行う。このようにして、ヘッドセット５６０は、通信機能構成要素５４０を利用して、通信システム５２０上で呼出を送信し及び受信することが出来る。
【００２１】
再び図６を参照すると、一実施の形態において、通信構成要素５４０は、モジュラーユニット３１に代えてホスト電子システム５１０内に配置される。他の実施の形態において、通信構成要素５４０は、（図示しない）他のモジュラーユニット中に設けられ、このモジュラーユニットは、ホスト電子システムに接続されると共に、ホスト電子システム５１０を通じてモジュラーユニット５３０のヘッドセットリンク５６０に接続される。更に他の実施の形態において、通信構成要素５４０は、モジュラーユニット５３０に直接接続する（図示しない）他のモジュラーユニット中に設けられる。更に他の実施の形態においては、通信構成要素５４０をホスト電子システム５１０から離間して配置し、通信構成要素５４０をＬＡＮ上などで直接接続によってホスト電子システム５１０に接続し、モジュラーユニット５３０のヘッドセットリンク５５０をホスト電子システム５１０を通じて通信構成要素５４０に接続する。
【００２２】
次に、参照する図７は、通常のパーソナルラジオ／テーププレーヤ１８の形態の通常の電子システムの一例を示している。本発明による変形に対して、ここに示した通常の電子システムをパーソナルラジオ／テーププレーヤとして説明するが、この電子システムに対する言及はパーソナルラジオ／テーププレーヤに限定することを意味するものではなく、当業者は、本発明の原理を多数のタイプの電子システムに適用できることを容易に理解できるものである。ここに図示したパーソナルラジオ／テーププレーヤ１８は、通常のテープ装備空間１９とディスプレイパネル２０と制御ツマミ２１，２２とを有する。パーソナルラジオ／テーププレーヤ１８は、内部に配置されたアンテナ２８及びバッテリ電源３０を備えている。パーソナルラジオ／テーププレーヤ１８は、接続部２６及びケーブル２７を通じて音声信号をヘッドセット２３のスピーカ２４，２５に送信する。
【００２３】
次に、参照する図８は、ラップトップ又はノートブックコンピュータ１１及び携帯電話機１２のようなデータ処理ユニットの形態の携帯通信装置を示している。上記出願継続中の米国特許出願の出願番号０８／３５３，９６６に最もよく記載したような種々の無線通信ネットワークに対するＰＣ１１及び電話機１２の通信を容易かつ十分に確立する。しかしながら、通信ネットワークの各々は、相違する通信規格を有しており、及び／又は、ブロック１３〜１７で線図的に示したような相違するタイプのモデムが要求される。種々の通信規格は、例えば、ＡＭＰＳ，Ｄ−ＡＭＰＳ，ＪＤＣ，ＴＡＣＳ，ＧＳＭ，ＮＭＴ−４５０，ＮＭＴ−９００，ＤＥＣＴ，Ｍｏｂｉｔｅｘ及びそれ以外の将来の拡張スペクトル規格を含むことが出来る。
【００２４】
再び図８を参照すると、加入者の携帯電話機１２は、複数の通信規格に基づいて動作する種々の無線ネットワークとの通信用の基本構成要素を有することが出来る。例えば、電話機１２をアメリカ合衆国で用いる必要がある場合、この電話機は、規定された周波数帯域で、アメリカ合衆国で用いられるアナログ又はデジタル変調技術に基づいて送受信できるようにする必要がある。しかしながら、電話機１２が、Ｕ．Ｋ又はヨーロッパ大陸に構築された無線システムと通信を行う必要がある場合、この電話機は、相違する周波数で、使用することが出来るようなある相違する変調技術に基づいて通信を可能にする必要がある。
【００２５】
再び図８を参照すると、ラップトップコンピュータ１１は、世界の複数の箇所に存在する複数の相違するデータネットワークとデータ通信を行う必要がある。例えば、パッケージ切替データネットワークは、北欧及び複数のヨーロッパ諸国並びに米国及びカナダに存在し、これは、規定されたサイズのデータパケットを利用するように機能する。パッケージ切替データネットワークは、予め規定されたプロトコルに基づいて構成され、本発明の譲受人に関する商標“ＭＯＢＩＴＥＸ”と称されるサービスの一部として提供される。同様に、ラップトップコンピュータ１１は、欧州ＧＳＭデジタルセルラー無線ネットワーク、又は、ときとしてＣＤＰＤ（Ｃｅｌｌｕｌａｒ  Ｄｉｇｉｔａｌ  Ｐａｃｋａｇｅ  Ｄａｔａ）ネットワークを用いて、（アナログ又はデジタルフォーマットの）アメリカ合衆国のセルラー無線ネットワークと通信する必要もある。本発明のシステムの広い概念は、無線送受信機、及び／又は、これに用いられる種々の規格に応じて種々のネットワークと通信するのに用いるように適合したモデム１３〜１７を提供することを含むものである。更に、ここで用いる用語「送受信機」は、Ｄ−ａｍｐ，ＧＳＭ等のような無線通信規格による通信を行うことが出来る無線装置を構成するのに適切で必要な無線制御論理を有する。例えば、送受信機は、送信機及び受信機を有することができ、通信装置をデータ送信に用いる場合、送受信機はデータモデム回路と共同化することも出来る。以降で詳細に説明するように、ラップトップコンピュータ１１は、そのキーボードの形態のユーザ通信信号を発生させる手段を共同する。特に民生製品に適合した電子機器の他のアイテムは、必ずしも信号発生手段を有しない。
【００２６】
再び図８を参照する。モデム１３はＭＯＢＩＴＥＸパケットデータ切替ネットワークと無線通信し、これに対して、モデム１４は、アナログ又はデジタルフォーマットでアメリカ合衆国の通常のセルラー無線ネットワークとの通信を可能に構成することが出来るモジュラーユニットを示している。同様に、モデム１５は、欧州通信規格協会（ＥＴＳＩ）によって採用されたＧＳＭ規格に基づいて欧州デジタルセルラー無線ネットワークと無線通信を行うのに適合させることが出来る。同様に、モデム１６は、デジタル欧州コードレス通信（ＤＥＣＴ）規格に基づく通信に容易に対応できる。狭いエリア及び広いエリアページングシステムのようなページングネットワーク上の通信，ＰＣＳ（パーソナル通信システム）上の通信又は他の任意の同様なシステム上の通信を行うために、他のモデム１７を用いることが出来る。ＰＣＳは、広域ネットワークとデータ及び音声通信に対するオンサイトネットワークとを結合するセルラーシステムとすることが出来る。モデム１４〜１７中の任意のものはラップトップコンピュータ１１又は加入者の電話機１２内で利用することができ、同時に、これらユニット及びＭＯＢＩＴＥＸデータパケットモデム１３はラップトップ１１内で用いることが出来る。更に、標準サイズのモジュラー形態でパッケージ化された標準モデムを用いることは、将来、世界中で用いられる音声及びデータの通信システムに対する柔軟性を提供できる大きな利点がある。
【００２７】
ここで参照する図９〜１２及び図１３〜１６のグループは、本発明の原理によって構成されたモジュラーユニットの二つのバージョンを示している。図９〜１２（グループ１）は、コネクタ３３で実現される規格ＰＣＭＣＩＡカード相互接続フォーマットに適合するように構成される。図１３〜１６は、変形コネクタ１３３で構成されたユニット１３１ｂを図示し、このコネクタ１３３は、以降で説明するアンテナ及び電源接続の変形のために現存するＰＣＭＣＩＡ規格に基づかないものである。モジュラー１３１ａ，１３１ｂは、１９９４年１２月１３日に出願された共同発明者Ｐｅｒ  Ｓｔｅｉｎによる出願継続中の米国特許出願の出願番号０８／３５３，９６６の表題“Ｍｏｄｕｌａｒ  Ｒａｄｉｏ  Ｃｏｍｍｕｎｉｃａｔｉｏｎｓ  Ｓｙｓｔｅｍ”の教示に基づいて構成され、この米国特許出願は、本発明の譲受人に譲り受けられ、ここに参照して特別に併合する。モジュール１３１ａ，１３１ｂは、以降で説明するように、ヘッドセット及びホスト電子機器と通信するように設計される。以下、既に説明したモジューラユニットの各バージョンについて説明する。
【００２８】
ここで、既に説明したモジュラーユニットのグループ１のバージョンについての図９〜１２を参照すると、特に、図９はモジュラーユニット１３１ａの上面図を示している。無線送受信機３６，モデム３７，切替回路３８及びヘッドセットリンク回路３９は、同時に通信カード２９も規定する点線によってモジュラーユニット１３１ａ内に示されている。ヘッドセットリンク回路３９は、小範囲用無線送信機／受信機や赤外線送信機／受信機等とすることが出来る。モジュラーユニット１３１ａのウィンドウ４０によって、無線又は赤外線信号は、モジュラーユニット１３１ａのヘッドセットリンク回路３９によって送信され及び受信される。
【００２９】
再び図９を参照すると、モジュラーユニット１３１ａは、装着用部材１５２並びにコネクタ１５１，１５４も有し、これらを破線によって示している。コネクタ１５１は、アンテナ１３８にプラグされた同軸アンテナカップリングを備える。図９の特別なモジュラーアンテナ構造はアンテナ棒部材１４０を有し、このアンテナ棒部材１４０は、ピポットアンテナマウント１４１を通じて旋回するように配置されて、ベース構造１４２の周囲を回転するようにされている。ベース１４２は、装着用部材１５２を塞ぐ破線で示した貫通部材１５２ａのような通常の止め具を用いてモジュール１３１ａに結合される。アンテナコネクタ１５１も、アンテナ１４０からここまでの通常の同軸接続を示すために破線で示す。この場合、アンテナ１４０は、使用効率を最大にするための最適な位置に回転させることが出来る。当然に、回転自在のアンテナはこの技術分野における通常のものである。しかしながら、ここで説明した用途に適合したモジュラーハウジング１３１ａ上のこのようなモジュラーアンテナの使用は、従来技術においても有効に用いられている。電力コネクタ１５４を出入孔１５４ａと共に破線で示し、以下、これを説明する。
【００３０】
ここで参照する図１０は、図９のモジュラーユニット１３１ａの正面図を示しており、これは多ピンコネクタ３３を最も明瞭に図示している。多ピンコネクタ３３は、現在の規格ＰＣＭＣＩＡカード相互接続フォーマットに基づいて構成される。コネクタ３３は、コネクタ４１ａ，４１ｂが一対の配列となっている。この特別なコンタクト形態が存在するＰＣＭＣＩＡ規格に適合すると共にアンテナ及び電力コネクタがここで説明するようなモジュール１３１ａの後方部１３４ａに配置されているため、個別の電力又はアンテナコネクタをここでは示さない。多ピンコネクタ３３のコンタクト４１ａ，４１ｂは、（図９に図示しない）カード２９内の回路に接続される。
【００３１】
ここで参照する図１１は、本発明の原理によって構成したモジュラーユニット１３１ａの後方からの背面図を示している。本実施の形態において、モジュラーユニット１３１ａは、凹部１３４を有する後部１３４ａを有し、この場合、同軸コネクタ１５１は、貫通結合のような装着用部材１５２に隣接して固定される。同軸コネクタ１５１は、ユニット１３１ａが接続される特定の電子機器の内部又は外部に配置されたアンテナにモジュール１３１ａ内の無線送受信機３６を接続するために配置されている。装着用部材１５２は、アンテナをモジュール１３１ａに対して直接配置する場合、以降で詳細に説明するように、モジュール１３１ａに対してアンテナ構造を固定する手段を提供する。コネクタ１５４及びウィンドウ４０も、モジュラーユニット１３１ａの凹部１３４に配置される。外部からの電力をコネクタ１５４によってモジュール１３１ａ内の通信カード２９に供給することが出来る。ウィンドウ４０によって、ヘッドセットリンク回路３９は、モジュラーユニット１３１ａの密閉された外側部材３２の内側からのリンク信号を送信し及び受信することが出来る。
【００３２】
ここで、参照する図１２は、図９のモジュラーユニット１３１ａにおける１２−１２線の断面図を示している。モジュール１３１ａは、種々のプリント回路基板トレースが形成される表面上にプリント回路基板６１を備えるカード２９を有し、ここには種々の構成要素が配置され、（図９に図示した）モジュール１３１ａ内に無線送受信機３６，モデム３７，切替回路３８及びヘッドセットリンク回路３９を備えている。プリント回路基板６１上の回路は、コネクタ３３の端子に選択的に接続されて、モジュール１３１ａ内の回路内に又は回路外に信号を供給する。上側部材６２は、プリント回路基板６１上に配置された構成要素の上部をカバーし、下側部材６３は、基板の下側表面をカバーすると共に、上側部材６２に整合してユニット１３１ａの密閉された外側部材３２を形成する。この特別な図において、ウィンドウ４０はウィンドウ４０の直後のヘッドセットリンク回路３９の送信機／受信機４１と共に図示されており、その結果、送信機／受信機４１は、ウィンドウ４０を通じて信号を送信し及び受信することが出来る。モジュラーアンテナ１３８の構成は、図９に関して既に説明したとおりである。
【００３３】
ここで参照するモジュラーユニットの上記グループ２のバージョンの図１３〜１６は、図１３において、変更ＰＣＭＣＩＡカード相互接続フォーマットに適合するように構成されたモジュラーユニット１３１ｂの上面図を示している。特に、モジュラーユニット１３１ｂは外側部材３２を有し、この外側部材３２は、一般に平坦であり、その第１の端部３３ａに（図１４において最も明瞭に示した）多ピンコネクタ１３３を配置する。この多ピンコネクタ１３３は、電子機器のアイテム内に配置された整合コネクタに連結する複数のコンタクトを有している。モジュラーユニット１３１ｂの他端３４ａは凹領域３４を有し、この場合、外部電源及びアンテナコネクタは、図９，１１，１２に関して説明したように配置することが出来る。
【００３４】
再び、図１３を参照すると、破線で示したように、モジュール１３１ｂはカード２９を収容し、カード２９は、無線送受信機３６，モデム３７，切替回路３８及びヘッドセットリンク回路３９を有している。カード２９は、送受信セクション３６，モデムセクション３７，切替回路セクション３８及びヘッドセットリンクセクション３９のような破線で示す。電源，制御，アンテナ，スピーカ及びマイクロホンは、多ピンコネクタ１３３から選択されたコンタクトを通じてカード２９に接続され、これを以下に詳細に説明する。
【００３５】
ここで参照する図１４は、図１３のモジュラーユニット１３１ｂの正面図を示し、これは多ピンコネクタ１３３を最も明瞭に示している。多ピンコネクタ１３３のコンタクトは、（図１３に図示した）カード２９内の回路に接続される。コネクタ１３３は、規格ＰＣＭＣＩＡフォーマットに基づいて構成された一対の配列をなすコンタクト４１ａ，４１ｂを備えている。本発明のシステムにおいて、コンタクトアレイの所定の領域を変形し、相違する形態及び／又はフォーマットを設けて、カード２９の回路に増大した電力を供給するためにアンテナ及び／又は電源に対する接続を容易に行うことが出来る。このような接続は、モジュラーユニット１３１ｂの電力要求が通常の信号入出力用コンタクト４１ａ〜４１ｂによって行うことが出来ない場合がある。したがって、このように変形された電力ピン形態のコンタクト１４９ａ，１４９ｂを図示する。コンタクト１４９ｃはアンテナコネクタを示しており、本発明の原理に基づいた他のアンテナ及び電力接続を行うことが出来る。
【００３６】
ここで参照する図１５に示すモジュラーユニット１３１ｂは、凹部３４で形成された端部３４ａを有し、この場合、ウィンドウ４０によって、（図１３に示した）ヘッドセットリンク回路３９がリンク信号を送受信できるようになる。他のコネクタは、アンテナ及び電源のようなアイテム用の他の外部接続にモジュール１３１ｂ内のカード２９を結合するための端部３４ａの凹部３４に設けることが出来る。しかしながら、コネクタ１３３に沿って設けられたアンテナコネクタ１４９ｃ及び電力コネクタ１４９ａ，１４９ｂによって、このような外部コネクタは凹部３４の他端に沿って設ける必要がない。このために、この外部コネクタは、特定の実施の形態において図示しない。
【００３７】
ここで参照する図１６は、モジュール１３１ｂの断面図を示している。この図で最も明瞭に示したように、モジュール１３１ｂのカード２９は、種々のプリント回路カードトレースを形成する表面上にプリント回路基板６１を含み、種々の構成要素、例えば、ＡＳＩＣｓを実装して、モジュール１３１ｂ内に無線送受信機３６，モデム３７，切替回路３８及びヘッドセットリンク回路３９を設けることが出来る。プリント回路基板６１上の回路は、コネクタ１３３のコンタクトに選択的に接続されて、信号をモジュール１３１ｂ内の回路内で又は回路外との間で供給する。上側部材６２は、ボード６１上に配置された構成要素の上部をカバーし、それに対して、下側部材６３は、ボードの下側表面をカバーすると共に、上側部材６２に整合してモジュラーユニット１３１ｂの密閉された外側部材３２を形成する。この特別な図において、ウィンドウ４０は、ウィンドウ４０の直後のヘッドセットリンク回路３９の送信機／受信機４１と共に凹部３４に示されており、その結果、送信機／受信機４１はウィンドウ４０を通じて信号を送信し及び受信することが出来る。
【００３８】
ここで図９〜１６を組み合わせて参照すると、モジュラーユニット１３１ａ及びモジュラーユニット１３１ｂは、無線送受信機３６，モデム３７，切替回路３８及びヘッドセットリンク回路３９を有するものとして説明されたが、本発明の一つの構成において、モジュラーユニット１３１ａ及びモジュラーユニット１３１ｂは、無線送受信機３６，モデム３７又は切替回路３８を有しない。他の構成において、モジュラーユニット１３１ａ，１３１ｂはモデム３７を有しない。
【００３９】
ここで参照する図１７は、パーソナルラジオ／テーププレーヤ２１０として図示した本発明の実施の形態として変形された通常のパーソナルラジオ／テーププレーヤの形態の通常の電子システムを示している。ここに図示したテーププレーヤ２１０は、通常のテープ受取区画２１１，ディスプレイパネル２１２及び操作制御ツマミ２１３，２１４を有する。パーソナル無線／テーププレーヤ２１０は、通常のバッテリ電源２１５及び通常のアンテナ２１６を有する。
【００４０】
再び図１７を参照する。パーソナルラジオ／テーププレーヤ２１０は、モジュラーユニット１３１ｂを取り付けるための装着スロット３１１を有する。この装着スロット３１１は、特に、モジュール１３１ｂの装着及び接続に適合させられる。スロット３１１は、側壁３１２及び前方開口３１３によって構成される。整合コネクタ３１４は、モジュール１３１ｂのコネクタ１３３に整合して接続するために端部３１５に沿って配置される。パーソナルラジオ／テーププレーヤ２１０の音声信号は、コネクタ３１４及びモジュール１３１ｂのコネクタ１３３を通じてモジュール１３１ｂに接続される。パーソナルラジオ／テーププレーヤ２１０のバッテリ電源２１５，アンテナ２１６及びディスプレイ２１２も、コネクタ３１４及びコネクタ１３３を通じてモジュール１３１ｂに接続される。
【００４１】
再び図１７を参照すると、モジュール１３１ｂは、ウィンドウ４０を通じてリンク信号３４１を送信し及び受信して、ヘッドセット３４５の送信機／受信機３４３との通信を確立する。イヤホン３４６，３４７及びマイクロホン３４８は、ヘッドセット３４５の送信機／受信機３４３に接続される。一実施の形態において、ヘッドセット３４５は、ヘッドセット３４５の送信機／受信機３４３に結合された（図示しない）キーパッド又は制御パネルを有する。ヘッドセット３４５のイヤホン３４６，３４７とマイクロホン３４８と（図示しない）キーパッドは、ヘッドセット３４５の送信機／受信機３４３を通じて、及び、モジュール１３１ｂのヘッドセットリンク回路３９を通じて、モジュール１３１ｂの切替構成要素３８との間での通信を行う。
【００４２】
ここで参照する図１８は、本発明の他の実施の形態によるパーソナルラジオ／テーププレーヤ２２０を示す。図１５のパーソナルラジオ／テーププレーヤ２１０と同様に、パーソナルラジオ／テーププレーヤ２２０は、通常のテープ装備空間２２１，ディスプレイパネル２２２及び操作制御ツマミ２２３，２２４を有する。パーソナルラジオ／テーププレーヤ２２０は、内部に配置された通常のバッテリー電源２２５を有している。
【００４３】
再び図１８を参照すると、パーソナルラジオ／テーププレーヤ２２０は、モジュラーユニット１３１ａを取り付けるための装着スロット３３１を有する。装着スロット３３１は、特に、モジュール１３１ａの装着及び接続に適合させられる。スロット３３１は、側壁３３２及び前方開口３３３で構成される。整合コネクタ３３４は、コネクタ３３に整合して接続するために端部３３５に沿って配置される。パーソナルラジオ／テーププレーヤ２２０の音声信号は、コネクタ３３４及びコネクタ３３を通じてモジュール１３１ａの切替構成要素３８と接続される。パーソナルラジオ／テーププレーヤ２２０のバッテリ電源２２５及びディスプレイ２２２も、コネクタ３３４及びコネクタ３３を通じてモジュール１３１ａに接続される。（既に説明した）モジュラーアンテナ構造１３８も、ユニット１３１ａの端部１３４ａに対して配置される。止金具１５２ａは、装着用部材１５２を締結し、アンテナ１３８をモジュール１３１ａに固定する。したがって、接続端部１３４ａは、コネクタ１５１，１５４を収容する凹部１３４を有する。コネクタ１５１は、好適には、アンテナ１３８に接続するために適合された同軸コネクタであり、これに対して、コネクタ１５４は、（必要な場合には）アンテナベース構造１４２の孔１５４ａを通じて外部電源をモジュラーユニット１３１ａに接続するように構成される。これに関して、（図示しない）ＡＣ／ＤＣ電源は、外部の電力を外部電源からモジュール１３１ａに供給することが出来る。
【００４４】
再び図１８を参照すると、モジュール１３１ａは、ウィンドウ４０を通じてリンク信号３４１を送信し及び受信して、ヘッドセット３４５の送信機／受信機３４３との通信を確立する。ヘッドセット３４５のイヤホン３４６，３４７やマイクロホン３４８及び（図示しない）キーパッドは、ヘッドセットの送信機／受信機３４３を通じてモジュール１３１ａのヘッドセットリンク回路３９との間での通信を行う。
【００４５】
ここで参照する図１９は、図９のモジュラーユニット１３１ａの他の装着用及び他のパーソナルラジオ／テーププレーヤ２３０を示す。ここでは既に説明したように、モジュール１３１ａのコネクタ３３は、スロット３５１の端部３５５に配置されたスロットコネクタ３５４に整合して接続するように示されている。この特定の図において、モジュラーユニット１３１ａは、フラップ３５６と共に構成されたテーププレーヤ２３０に取り付けられる。フラップ３５６は、ユニット１３１ａ上で閉じると共に同軸コネクタ１５１に直接結合する形態で設けられる。同時に、ウィンドウ４０を露出し続けると共に外部電源コネクタ１５４を露出し続ける。孔３４０は、モジュール１３１ａのウィンドウ４０に整合するようにフラップ３５６に配置されると共に、モジュール１３１ａのヘッドセットリンク回路３９がヘッドセット３４５（図示せず）との間で通信が出来るようなサイズとされる。本実施の形態において、外部／内部アンテナ２３６は、特に、テーププレーヤ／ラジオ組合せでの通常な配置のように、テーププレーヤ２３０内に図示されている。市販のＡＭ／ＦＭラジオは、ＡＭ／ＦＭラジオが使用されないときに単独で内部に収納されるアンテナ、すなわち、テーププレーヤ２３０へ部分的に引き戻すことが出来るアンテナが要求される。アンテナ２３６は、（部分的に破線で示す）ケーブル３５７によってフラップ３５６のフラップコネクタピン３５８に接続される。孔３５９は、モジュール１３１ａの電力コネクタ１５４に整合させるためにフラップ３５６に配置されると共に、コネクタ１５４の受信及び（図示しない）プラグ並びに外部電源への接続を容易にするサイズとされる。特に図示しない他の実施の形態において、テーププレーヤ２３０からの内部電源はフラップ３５６の孔３５９に配置された電源接続ピンに接合することによって、モジュール１３１ａのコネクタ１５４に接続されることが出来る。
【００４６】
再び図１９を参照する。図１７，１８に示すヘッドセット３４５は、明瞭化のために特に図示されていない。しかしながら、テーププレーヤ２３０は、テープ設置スロット２３１とディスプレイスクリーン２３２と操作制御ツマミ２３３，２３４とアンテナ２３６とを有する。パーソナルラジオ／テーププレーヤ２３０のような電子システムを種々の形態で構成する。単一の機器の配置をここでは示すが（ディスプレイスクリーン２３２のような特別の好適例を示す）、これは、本発明の原理に基づいて利用することが出来る電子システムのタイプを何ら制限する意味ではない。
【００４７】
ここで参照する図２０は、モジュール３１，モジュール１３１ａ又はモジュール１３１ｂを利用するために変形された通常のタイプの携帯ラジオである携帯テーププレーヤ−ＡＭ／ＦＭラジオの携帯の電子システムの他のアイテムを示している。本発明のモジュラーユニット３１，１３１ａ，１３１ｂで可能な多種多様な使用も示している。このような用途は、既に説明したように、モジュール３１，１３１ａ，１３１ｂ中の任意のものを用いることが出来る。既に説明したように、モジュラーユニット３１，１３１ａ，１３１ｂは、ヘッドセットリンク及びホスト機器に対する通信技術機能を提供する。しかしながら、複数の技術は、実際には、モジュラーユニット３１，１３１ａ，１３１ｂ内の単一カード上に存在することが出来る。
【００４８】
再び図２０を参照すると、テーププレーヤ／ラジオ２４０は、モジュール３１，モジュール１３１ａ又はモジュール１３１ｂ中の任意のものの機能を利用するために変形された通常のタイプのテーププレーヤ−ラジオのものとする。テーププレーヤ−ラジオ２４０は、アンテナ２４１，ディスプレイ２４２，スピーカ２４３及び（図示しない）内部電源の通常の態様を有する。本発明に対する通常のタイプのテーププレーヤ−ラジオの変形中の一つは、受信し及びモジュール３１，１３１ａ，１３１ｂ中の一つに電気的に接続するために適合したスロット３６１を追加したものである。キーパッド３６２も通常のテーププレーヤ−ラジオに追加され、これによって、ユーザがモジュール３１，１３１ａ，１３１ｂ中の任意の通信機能を制御することが出来る。
【００４９】
再び図２０を参照すると、モジュール３１，１３１ａ，１３１ｂ中の一つが、テーププレーヤ／ラジオ２４０のスロット３６１に装着される。テーププレーヤ／ラジオ２４０の音声信号は、スロット３６１の電気接続を通じてモジュール３１，１３１ａ，１３１ｂに供給される。テーププレーヤ／ラジオ２４０のアンテナ２４１，ディスプレイ２４２，スピーカ２４３，キーパッド３６２及び内部電源も、スロット３６１の電気接続を通じてモジュール３１，１３１ａ，１３１ｂに接続される。通信モジュール３１，１３１ａ，１３１ｂの機能に対する操作をキーパッド３６２によって行うことが出来る。
【００５０】
再び図２０を参照すると、モジュール３１，１３１ａ，１３１ｂは、ヘッドセット３４５にリンク信号３４１を送信すると共にヘッドセット３４５からリンク信号３４１を受信する。通信機能の音声通信は、ヘッドセット３４５のイヤホン３４６，３４７及びマイクロホン３４８によって達成される。ヘッドセット３４５のイヤホン３４６，３４７やマイクロホン３４８及び（図示しない）キーパッドは、ヘッドセットの送信機／受信機３４３を通じて、及び、モジュール３１，１３１ａ，１３１ｂを通じてテーププレーヤ−ラジオ２４０に接続する。
【００５１】
ここで図１７，１８，１９，２０を参照すると、図示した実施の形態は、モジュール３１，モジュール１３１ａ又はモジュール１３１ｂのような分離可能なモジュールを配置した通信態様を開示するが、他の構成において、通信エレクトロニクスは、個別の分離可能なモジュールの一部とする代わりに、市販の電子音声システム、例えば、パーソナルラジオ／テーププレーヤ２１０，２２０，２３０及び携帯テーププレーヤ−ＡＭ／ＦＭラジオ２４０に構築される。更に他の構成においては、通信エレクトロニクスは、ホスト電子システムを通じてモジュラーユニット３１，１３１ａ，１３１ｂに接続する第２のモジュール内とされる。更に他の構成において、通信エレクトロニクスは、モジュラーユニット３１，１３１ａ，１３１ｂに直接接続する第２のモジュラー内とされる。ホスト電子システムのモジュールポートを壁及び開口端を有するものとして説明したが、モジュールポートは、モジュールを受け取るコネクタのみとすることも出来る。モジュール３１，１３１ａ，１３１ｂを任意のアナログ又はデジタル技術とすることが出来ることに留意すべきである。
【００５２】
ここで参照する図２１は、図１７，１８，１９に図示した本発明の実施の形態のブロック図を示している。ホスト電子システム９１０は、無線受信機，記録媒体のプレーヤなどのような通常の電子音声構成要素９２０を有する。通常の電子音声構成要素９２０は、モジュラー電子構成要素９３０に電気的に接続される。モジュラーユニット９３０の切替ユニット９４０は、ホスト電子システム９１０の通常の電子音声構成要素９２０に接続される。モジュラーユニット９３０の通信送受信機９５０も切替手段９４０に接続される。通信送受信機９５０は、少なくとも一つの予め選択した通信規格に基づいて複数の規格化された無線ネットワーク９６０中の少なくとも一つと通信を行うように適合させられる。
【００５３】
再び図２１を参照すると、切替手段９４０もモジュラーユニット９３０のヘッドセットリンク９７０に接続される。モジュラーユニット９３０のヘッドセットリンク９７０は、ヘッドセット９８０のモジュールリンク９９０との間で通信を行う。ヘッドセットリンク９７０及びモジュールリンク９９０は、赤外線や小範囲用無線等とすることが出来る。一実施の形態において、ヘッドセットリンク９７０及びモジュラーリンク９９０は、切替手段９４０とモジュール９８０との間を直接電気接続するケーブルによって置換される。ヘッドセットは、イヤホン又はスピーカ９８２，マイクロホン９８４及びキーパッド又は制御パネル９８６を有する。スピーカ９８２，マイクロホン９８４及び制御パネル９８６はモジュールリンク９９０に電気的に接続される。このようにして、ヘッドセット９８０は、ユーザとモジュラーユニット９３０のヘッドセットリンク９７０との間で種々の音声信号及び制御信号を送受信することが出来る。
【００５４】
再び図２１を参照すると、切替手段９４０は、通常の電子音声構成要素９２０と通信送受信機９５０との間でモジュラーユニット９３０のヘッドセットリンク９７０の接続を切り替える。一実施の形態において、切替手段９４０は通常の手動スイッチとされる。他の実施の形態において、切替手段９４０は、ハンズフリー技術の電話応答を利用する装置である。ハンズフリー技術の電話応答を利用する装置の例は、１９８６年５月２７日にＢｅｎｅｄｅｔｔｏに対して発行された米国特許出願明細書第４，５９１，６６１号の表題“Ｐｏｒｔａｂｌｅ  Ｃｏｒｄｌｅｓｓ  ｔｅｌｅｐｈｏｎｅ−Ｒａｄｉｏ  Ｒｅｃｅｉｖｅｒ”及び１９９１年２月１２日にＨｏｉｃｈに対して発行された米国特許出願明細書第４，９９３，０６１号の表題“Ｐｏｒｔａｂｌｅ  Ｍｉｎｉａｔｕｒｅ  Ｈｉｇｈ  Ｆｉｄｅｌｉｔｙ  Ｓｔｅｒｅｏ  Ｔａｐｅ  Ｐｌａｙｅｒ  ａｎｄ  Ｃｏｒｄｌｅｓｓ  Ｒａｄｉｏ  Ｔｅｌｅｐｈｏｎｅ  Ｓｙｓｔｅｍ”に記載されており、この両方をここで参照して特別に併合する。ハンズフリー技術の電話応答が既知であっても、ハンズフリー技術の電話応答の本発明の他の態様への組合せの発見は、本発明の一部と考えられる。
【００５５】
ここで参照する図２２は、ハンズフリー技術の電話応答に対する本発明によって用いられたプロセスの一例を示すフローチャートを示す。このプロセスは、ステップ６１０での呼出の受信によって開始される。受信される呼出は、電話機又は電子音声機器のモードに依存してステップ６１０から処理される。電話機又は電子音声機器がオフモードの場合、受信される呼出は、ステップ６２２からステップ６３０のボイスメール処理に進む。電話機又は電子音声機器が話し中モードの場合、すなわち、処理中に呼出が行われる場合、受信される呼出は、ステップ６２４からステップ６３０のボイスメール処理に進む。電話機又は電子音声機器が待機モードの場合、受信される呼出はステップ６２６からステップ６４０に進む。ステップ６４０において、システムは、電子音声機器のスピーカ又はヘッドセットを通じてベル信号を送信し、電子音声機器の音量を徐々に低下させる。受信される呼出がステップ６４０のベル信号に応答しない場合、すなわち、ユーザが電話機を「ハングアップ」しない場合、受信される呼出はステップ６４０からステップ６３０のボイスメールに進む。ユーザがステップ６４０でベル信号に応答して受信される呼出に応答する場合、受信される呼出はステップ６４０からステップ６５０の「進行中の呼出」に進む。一度「進行中の呼出」がステップ６５０で終了すると、ユーザは、ステップ６６０において、接続を切り離す。すなわち、接続を「切断」とし、電子音声機器を待機状態及びその通常の音量並びに音声再生モードに戻る。
【００５６】
ここで参照する図２３は、データタイプの機能に対する本発明に用いられるハンズフリー技術の一例を示すフローチャートを示している。プロセスは、ステップ７１０で受信された到来するデータ呼出で開始する。受信されるデータ呼出は、モデムを有する電子音声機器のモードに依存してステップ７１０から進行する。電子機器がオフモードの場合、受信される呼出は、記憶のためのステップ７２２からステップ７３０のメールボックスに進行する。電子音声機器が話し中モードの場合、すなわち、現在の呼出が処理中に行われる場合、受信される呼出は、記憶のためのステップ７２４からステップ７３０のボイスメールに進む。電話機又は電子音声機器が待機モードの場合、受信される呼出はステップ７２６からステップ７４０に進行する。ステップ７４０において、受信されるデータ呼出が存在することを表すベル信号を発生させる。モデムの自動接続、すなわち、「ピックアップ」が行われない場合、記憶のためのステップ７４０からステップ７３０のボイスメールに進行する。モデムピックアップが行われる場合、受信されるデータ呼出がステップ７４０から７５０の進行モードの呼出に進行する。この進行中の呼出が終了すると、モデムは、接続を切り離し、すなわち、接続を「切断」とし、電子音声機器は元の音量及び機能に戻されると共に、ステップ７６０で待機モードに設定される。
【００５７】
ここで参照する図２４は、無線データシステム（ＲＤＳ）電子音声システム上で受信される呼出を受信するプロセスを示すフローチャートを示している。このプロセスは、ステップ８１０で受信される音声又はデータ呼出で開始する。受信される呼出を検出すると、ステップ８２０でＲＤＳメッセージを発生させ、通信ユニットが呼出を受信する。受信される呼出の進行は通信ユニットのモードによって決定される。通信ユニットがオフモードの場合、受信される呼出は、ボイスメール記憶のためのステップ８３２からステップ８４０のメールボックスに進行する。通信ユニットが話し中モード、すなわち、進行中に呼出が行われた場合、受信される呼出は、ボイスメール記憶のためのステップ８３４からステップ８４０のメールボックスに進行する。通信ユニットが待機モードの場合、受信される呼出がステップ８３６からステップ８５０に進行する。ステップ８５０において、ベル信号を発生させ、ＲＤＳ電子機器は電子音声システムの音量送出を停止させる。受信される呼出がピックアップされない場合、受信される呼出は、ボイスメール記憶のためのステップ８５０からステップ８４０のメールボックスに進行する。受信される呼出をピックアップした場合、受信される呼出はステップ８６０で進行中の呼出に変換される。一度進行中の呼出が終了すると、通信ユニットは、ステップ８７０において、接続を切り離し、すなわち、接続を「切断」とし、ＲＤＳ電子機器は、音量を通常状態に戻し、通信ユニットをステップ８７０で待機モードに設定する。
【００５８】
既に説明したように、モジュラーユニット３１，１３１ａ，１３１ｂは多数の使用状態を有することは明らかである。設計の観点から、これらモジュールを１０．５ｍｍ程度の厚さにすることができ、特定の電子機器は、これの装着のために適切に設計変更する必要がある。モジュラーユニット３１，１３１ａ，１３１ｂの端部３３，１３３は、規格ＰＣＭＣＩＡ３．０ｍｍカード相互接続を有することが出来る。更に、既に説明したように、カードエッジコネクタ３３，１３３の一方は、特定の状況におけるより高い電力接続及び消費のための特定のピン突起１４９ａを備えることが出来る。
【００５９】
アンテナ接続及び特定の電源接続により、電子システム又は機器への個々の配置に必要な特定の適合を最小にするモジュラーユニットを実現することが出来ることも明らかである。このようにして、本発明のシステムによって、異なる規格及び相違する状況に対する柔軟性のある適合に対するモジュラ無線通信ユニットの構成を可能にするが、これを今日市販されている種々の電子機器の規格カードスロットに併用することが出来る。
【００６０】
本発明のシステムの動作及び構成がこれまでの説明から明らかであるが、図示及び説明したシステムの動作及び構成を、好適な及び明白な変形として特徴づけ、この変更を、以下の請求の範囲で規定したような発明の精神及び範囲を逸脱することなく行うことが出来る。
【図面の簡単な説明】
【００６１】
【図１】本発明の原理によって構成されると共に規格ＰＣＭＣＩＡカード相互接続フォーマットを有するモジュラーユニットの上面図である。
【図２】規格ＰＣＭＣＩＡカード相互接続フォーマットを説明するための図１のモジュラーユニットの正面図である。
【図３】図１のモジュラーユニットにあってモジュラーユニットの後部のウィンドウを説明するための背面図である。
【図４】図１のモジュラーユニットの４−４線における断面図である。
【図５】図１に図示したタイプのモジュラーユニット及びコンピュータへの搭載を示す拡大正面図である。
【図６】通信構成要素及びヘッドセットを無線回線接続する本発明の一実施の形態を示すブロック図である。
【図７】従来の電子システムのパーソナルラジオ／テーププレーヤ形態を示す図である。
【図８】電子機器との通信の全体の概念を示すブロック図である。
【図９】本発明の原理によって構成すると共に規格ＰＣＭＣＩＡカード相互接続フォーマットを有する他のモジュラーユニットの上面図である。
【図１０】図９におけるモジュラーユニットにあって規格ＰＣＭＣＩＡカード相互接続フォーマットを説明するための正面図である。
【図１１】図９のモジュラーユニットにあって外部アンテナの搭載を説明するための背面図である。
【図１２】図９にあってアンテナの取り付け状態を説明するための１２−１２線に沿ったモジュラーユニットの断面図である。
【図１３】本発明の原理によって構成されると共に変更したＰＣＭＣＩＡカード相互接続フォーマットを有するモジュラーユニットの更に他の例の上面図である。
【図１４】図１３に図示したモジュラーユニットにあってピン接続を説明するための正面図である。
【図１５】図１３におけるモジュラーユニットにあってアンテナ又は電源コネクタを有しない他の例を説明するための背面図である。
【図１６】図１３にあって１６−１６線に沿ったモジュラーユニットの断面図である。
【図１７】図１３にあってパーソナルラジオ／テーププレーヤの形態の電子システムにおけるモジュラー受入スロットに関連するモジュラーユニットの拡大正面図である。
【図１８】図９に図示したタイプのモジュラーユニットにあってパーソナルラジオ／テーププレーヤの形態の電子システムにおけるモジュラー受入スロットに関連する拡大正面図である。
【図１９】図９に図示したタイプのモジュラーユニットにあってパーソナルラジオ／テーププレーヤの形態の電子システムのモジュラー受入スロットに関連する拡大正面図である。
【図２０】図１，図９又は図１３に図示したタイプのモジュラーユニットにおける携帯テーププレーヤ−ＡＭ／ＦＭラジオの携帯の電子システムのモジュラー受入スロットに関連する拡大正面図である。
【図２１】ヘッドセットの無線回線接続，通信送受信機，モデム及び切替構成要素を有する本発明の更に他の実施の形態を示すブロック図である。
【図２２】本発明の電話通信で用いられるハンズフリー技術を適用した電話機能を説明するためのブロック図である。
【図２３】本発明のデータ通信の例で用いられるハンズフリー技術を適用したデータ機能を説明するためのブロック図である。
【図２４】無線データシステム（ＲＤＳ）における無線受信機を有する通信機能を説明するブロック図である。
【符号の説明】
【００６２】
９１０  ホスト電子装置
９２０  電子音声構成要素
９３０  モジュラーユニット
９４０  切換回路
９５０  通信構成要素
９７０  ヘッドセットリンク
９８０  ヘッドセット
９９０  モジュールリンク
【図１】
2006141059.tif 000003
【図２】
2006141059.tif 000004
【図３】
2006141059.tif 000005
【図４】
2006141059.tif 000006
【図５】
2006141059.tif 000007
【図６】
2006141059.tif 000008
【図７】
2006141059.tif 000009
【図８】
2006141059.tif 000010
【図９】
2006141059.tif 000011
【図１０】
2006141059.tif 000012
【図１１】
2006141059.tif 000013
【図１２】
2006141059.tif 000014
【図１３】
2006141059.tif 000015
【図１４】
2006141059.tif 000016
【図１５】
2006141059.tif 000017
【図１６】
2006141059.tif 000018
【図１７】
2006141059.tif 000019
【図１８】
2006141059.tif 000020
【図１９】
2006141059.tif 000021
【図２０】
2006141059.tif 000022
【図２１】
2006141059.tif 000023
【図２２】
2006141059.tif 000024
【図２３】
2006141059.tif 000025
【図２４】
2006141059.tif 000026
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
無線ヘッドセットと電子音声構成要素または無線通信ネットワークに選択的に接続されるモジュラーユニットであって、
前記モジュラーユニットと前記無線ヘッドセット間で信号を送受信するためのヘッドセットリンクと、
少なくとも１つの無線通信規格に従って前記モジュラーユニットと前記無線通信ネットワーク間で信号を送受信するための通信送受信機と、そして
前記電子音声構成要素と前記通信送受信機と前記ヘッドセットリンクに接続されるハンズフリースイッチであって、音声信号を前記電子音声構成要素から前記無線ヘッドセットに送信するために前記ヘッドセットリンクを前記通信送受信機と接続し、前記ヘッドセットリンクを前記電子音声構成要素から自動的に切断し、そして前記通信送受信機が前記無線通信ネットワークからの呼出を受信すると前記ヘッドセットリンクを前記通信送受信機と接続する、ようにしたハンズフリースイッチと、を含むモジュラーユニット。
【請求項２】
前記ハンズフリースイッチは、
前記通信送受信機が呼出を受けると、前記電子音声構成要素からの音声信号を徐々に低下させるとともに呼出があることを示す信号を前記無線ヘッドセットに送信する手段を含む、請求項１に記載のモジュラーユニット。
【請求項３】
前記ヘッドセットリンクと前記無線ヘッドセットが小範囲無線リンクを介して通信する、請求項１に記載のモジュラーユニット。
【請求項４】
前記ヘッドセットリンクと前記無線ヘッドセットが赤外通信リンクを介して通信する、請求項１に記載のモジュラーユニット。
【請求項５】
前記電子音声構成要素はバッテリ電源を含み、前記モジュラーユニットが前記電子音声構成要素に接続されたときに通信送受信機が前記バッテリ電源からの電力を受ける、請求項１に記載のモジュラーユニット。
【請求項６】
前記モジュラーユニットに取り付けられた電力コネクタを通して電力を前記通信送受信機に供給するようにした外部電源をさらに含む、請求項１に記載のモジュラーユニット。
【請求項７】
前記電子音声構成要素はアンテナを含み、前記モジュラーユニットは前記電子音声構成要素のアンテナを当該モジュラーユニットの前記通信送受信機に接続するためのアンテナコネクタをさらに含み、前記通信送受信機が前記電子音声構成要素のアンテナを通して前記無線通信ネットワークと通信する、請求項１に記載のモジュラーユニット。
【請求項８】
前記モジュラーユニットのハウジングに取り付けられて前記通信送受信機に接続されるアンテナをさらに含み、前記通信送受信機が前記モジュラーユニットのハウジングに取り付けられた前記アンテナを通して前記無線通信ネットワークと通信する、請求項１に記載のモジュラーユニット。
【請求項９】
前記電子音声構成要素は当該電子音声構成要素の機能的な情報を表示するディスプレイを含み、前記モジュラーユニットは前記通信送受信機からのデータ信号を前記ディスプレイに供給するためのディスプレイコネクタをさらに含み、前記電子音声構成要素のディスプレイが前記通信送受信機から受信したデータを表示する、請求項１に記載のモジュラーユニット。
【請求項１０】
前記音声構成要素は制御信号を供給するためのキーパッドを有し、前記モジュラーユニットは前記キーパッドからの制御信号を前記通信送受信機に供給するためのキーパッドコネクタをさらに含む、請求項１に記載のモジュラーユニット。